(57)【要約】  【課題】  薄型物品を簡単に被覆でき、かつ安全に運搬できる薄型物品用運搬具を提供することである。  【解決手段】  両端部にショルダーベルト１３，１３がそれぞれ取り付けられた長手方向に長い矩形の薄型物品載置部１２と、この載置部１２の幅方向両側部に取り付けられ薄型物品の前面および背面を被覆する２つの被覆シート１４，１５と、これらの被覆シート１４，１５の外面にそれぞれ設けられたハンドベルト１６，１６，１７，１７と、載置部１２の両端部からこの載置部１２の長手方向に延設された折り曲げ可能なコーナーパット部１２ａと、２つの被覆シート１４，１５の少なくとも一方の外面に取り付けられ、少なくとも先端が、当該被覆シート１４，１５で薄型物品を被覆した状態でこの被覆シート１４，１５の外方に突出する長さを有する起上げ用ハンドベルト１８，１８とを備える。【選択図】    図１
2005212799.tif 000002
【特許請求の範囲】
【請求項１】
両端部にショルダーベルトがそれぞれ取り付けられた長手方向に長い矩形の薄型物品載置部と、
この載置部の幅方向両側部に取り付けられ薄型物品の前面および背面を被覆する２つの被覆シートと、
これらの被覆シートの外面にそれぞれ設けられたハンドベルトと、
前記載置部の両端部からこの載置部の長手方向に延設された折り曲げ可能なコーナーパット部と、
前記２つの被覆シートの少なくとも一方の外面に取り付けられ、少なくとも先端が、当該被覆シートで前記薄型物品を被覆した状態でこの被覆シートの外方に突出する長さを有する起上げ用ハンドベルトとを備えたことを特徴とする薄型物品用運搬具。
【請求項２】
前記２つの被覆シートのうち、一方は薄型物品を被覆した状態で他方の被覆シート上に折り返せるように、他方より幅および高さが大きく形成されている請求項１記載の薄型物品用運搬具。
【請求項３】
前記コーナーパット部は、薄型物品の底部コーナ部を被覆するために、該コーナ部に沿わせて折り曲げた状態で、前記２つの被覆シートによって被覆される請求項１または２記載の薄型物品用運搬具。
【発明の詳細な説明】
【技術分野】
【０００１】
本発明は、薄型テレビ、絵画等の美術品、ガラス板、ガラスケースなどの薄型で嵩張る物品、特に重量のある薄型テレビ等を運搬するのに適した薄型物品用運搬具に関する。
【背景技術】
【０００２】
近年、大型画面のプラズマテレビ、液晶テレビ等の薄型テレビが販売されている。薄型テレビを、例えば車から家屋の設置場所へ運搬する場合や、修理、引越しなどのために設置場所から車へ運搬する場合、そのまま運搬するには安定性が悪いうえ、重量物であるため倒れて傷がつく可能性がある。また、傷がつかないように薄型テレビをシートで覆って運搬することも考えられるが、薄型で重量物であるため単に被覆シートを被せるだけでは安全に運搬できない。また、テレビ以外の絵画や大きなガラス板、ガラスケースといった他の薄型の物品を運搬する場合にも同様の問題があった。ところで、荷物運搬具としては、下記特許文献１のようなものが従来提案されているが、上記のように階段等がある家屋から車までの運搬は人手に頼っているのが実情であった。
【特許文献１】特開平９−２９９１２９号公報
【発明の開示】
【発明が解決しようとする課題】
【０００３】
本発明の課題は、薄型物品を傷がつかないように簡単に、かつ安全に運搬できる薄型物品用運搬具を提供することである。
【課題を解決するための手段】
【０００４】
本発明の薄型物品用運搬具は、両端部にショルダーベルトがそれぞれ取り付けられた長手方向に長い矩形の薄型物品載置部と、この載置部の幅方向両側部に取り付けられ薄型物品の前面および背面を被覆する２つの被覆シートと、これらの被覆シートの外面にそれぞれ設けられたハンドベルトと、前記載置部の両端部からこの載置部の長手方向に延設された折り曲げ可能なコーナーパット部と、前記２つの被覆シートの少なくとも一方の外面に取り付けられ、少なくとも先端が、当該被覆シートで前記薄型物品を被覆した状態でこの被覆シートの外方に突出する長さを有する起上げ用ハンドベルトとを備えたことを特徴とする。
【０００５】
これにより、起上げハンドベルトを設けた一方の被覆シート上に薄型物品を寝かし、この状態で薄型物品の上面に他方の被覆シートを被せ、かつコーナーパット部を折り曲げて薄型物品の底部コーナ部に沿わせて梱包した後、起上げハンドベルトを引っ張って薄型物品を立ち上げ、作業者がハンドベルトをそれぞれ両手で把持し、その状態で薄型物品を持ち上げて運搬できる。
【０００６】
前記２つの被覆シートのうち、一方は薄型物品を被覆した状態で他方の被覆シート上に折り返せるように、他方より幅および高さが大きく形成されているのが好ましい。これにより、薄型物品を一部が外部に露出することなく確実に被覆することができる。
【０００７】
また、前記コーナーパット部は、薄型物品の底部コーナ部が露出しないように、該コーナ部に沿わせて折り曲げた状態で、前記２つの被覆シートによって被覆されるのが好ましい。
【発明の効果】
【０００８】
本発明の運搬具によれば、薄型物品を簡単かつ安全に、しかも少ない労力で運搬することができるという効果がある。
【発明を実施するための最良の形態】
【０００９】
以下、本発明の薄型物品用運搬具の一実施形態について図面を参照して詳細に説明する。図１は本発明の薄型物品用運搬具を示す平面図であり、図２はその底面図である。
【００１０】
図１および図２に示すように、本実施形態の運搬具１１は、薄型物品を載置するための長手方向に長い矩形の薄型物品用載置部１２と、この載置部１２の幅方向両側部にそれぞれ取付けられた２枚の被覆シート１４，１５と、載置部１２の両端部から長手方向に延設されたコーナーパット部１２ａと、薄型物品を梱包した後に運搬具１１を起立させるために被覆シート１４の外面に取り付けられた起上げ用ハンドベルト１８，１８とからなり、載置部１２の両端部にはショルダーベルト１３，１３がそれぞれ取付けられている。また、２つの被覆シート１４，１５の外面には、それぞれ一対のハンドベルト１６，１６，１７，１７が作業員が把持しやすい高さに略平行に取り付けられている。
【００１１】
前記載置部１２の材質としては、重量物を持ち上げ運搬するのに耐え得る強度を有したものであればよく、例えば織布、不織布、プラスチックシート、金属網などが挙げられるが、柔軟性を有するシートがより好ましく、特にターポリン、クッション性シート（フェルト等）をラミネートした撥水性ナイロン生地が好適に使用可能である。載置部１２の大きさは、載置する薄型物品の大きさに応じて決定すればよい。
【００１２】
載置部１２の長手方向両端部は前記コーナーパット部１２ａとなっている。このコーナーパット部１２ａは、載置部１２が柔軟なシート材で構成されているので、薄型物品を載置した際に薄型物品の底部コーナ部に沿って折り曲げることができ、これによって、薄型物品の底部コーナ部を被覆することができる（図４（ｂ）および図７（ｃ）を参照）。コーナーパット部１２ａの長さは特に限定されるものではなく、薄型物品の底部コーナ部を被覆するのに十分な長さであればよい。また、コーナーパット部１２ａは載置部１２と一体にせず、例えば面ファスナー（具体的には「マジックテープ（登録商標）」）などにより載置部１２に着脱自在に取付けるようにしてもよく、あるいは載置部１２に縫い付けるようにしてもよい。
【００１３】
載置部１２の長手方向両端部には、ショルダーベルト１３，１３が形成されている。図２に示すように、このショルダーベルト１３，１３は、２本のベルト材１３ａ，１３ｂにより形成されている。ベルト材１３ａ，１３ｂの一端にはバックル１３ｃ，１３ｃが、他端にはバックル１３ｃと連結するための複数の穴部１３ｄ，１３ｄ，・・・がそれぞれ備えられている。これにより、運搬する際には、作業者の体格にあわせてショルダーベルト１３の長さを調節することができる。各穴部１３ｄは穴あき金属板をベルト材１３ａ，１３ｂに取り付けて補強されている。ベルト材１３ａおよびベルト材１３ｂは、載置部１２の表面に平行に並べられて強固に縫い付けられている。この各ショルダーベルト１３，１３には、弾力性を有するショルダーパット１３ｇ，１３ｇが装着される。また、物品が傷つくのを防ぐために、バックル１３ｃと穴部１３ｄとの連結部を弾力性を有するパット（図示せず）等で被覆するのが好ましい。
【００１４】
被覆シート１４，１５は、下端が載置部１２の両側部にそれぞれ縫い付けられている（縫い付け領域をＡで示す）。図１，２に示すように、被覆シート１４は、幅および高さが被覆シート１５より大きく形成されている。これにより、梱包時に被覆シート１４を他方の被覆シート１５上に折り返すことができ、薄型物品の両側面も含めて物品全体を被覆することができ、運搬時に物品が傷付くのを防ぐことができる。被覆シート１４，１５は、載置部１２と同じ材質で作ることができるが、他の材質を用いてもよい。
【００１５】
被覆シート１４，１５は、それらを重ね合わせた状態で互いに着脱自在に止着できるように、それぞれ接合手段１４ａと１５ａ，１４ｂと１５ｂ（例えば上述した面ファスナーなど）が取付けられている。すなわち、接合手段１４ａ，１４ｂは、図１に示すように被覆シート１４の両側部および上端部にそれぞれ縫い付けるなどして取り付けられている。一方、接合手段１５ａ，１５ｂは、図２に示すように、被覆シート１５の外面の両側部および上端部にそれぞれ縫い付けるなどして取り付けられている。この接合手段１５ａ，１５ｂは長い帯状であるので接合手段１４ａ，１４ｂと任意の位置で止着できるようになっている。また、被覆シート１４の上端部には、被覆シート１５を重ね合わせた際に、被覆シート１５に形成されたハンドベルト１７，１７を通すためのスリット２１，２１が形成されている。
【００１６】
また、被覆シート１４，１５は、図１に示すように、内面にそれぞれ薄型物品の位置決め用の目印としてミシン目２０ａ，２０ｂ，２０ｃが設けられている。物品のそれぞれのサイズに応じて被覆シート１４のミシン目２０ａ，２０ｂ，２０ｃにあわせて被覆シート１４上に載置し、被覆シート１５で被覆する。ミシン目２０ａ，２０ｂ，２０ｃのサイズは、例えば一般に市販されている薄型テレビの大きさに対応しているのが好ましく、特に３２，４２，５０インチの画像サイズを有するテレビの大きさに対応しているのが好ましい。これにより、薄型物品を正しく載置することができる。また、被覆シート１５の大きさは、最も大きなミシン目２０ｃと同じサイズで形成されている。なお、コーナーパット部１２ａとなる領域は物品の大きさによって変わるものであり、例えばミシン目２０ａのサイズの物品の場合、ミシン目２０ａの両側の載置部１２がコーナーパット部１２ａ，１２ａになる。
【００１７】
ハンドベルト１７，１７は、図３（ａ）に示すように、１本のベルト材の一部をループ状に立ち上げた状態で、ハンドベルト１７，１７間の縫い付け領域Ｂおよびその外側部の縫い付け領域Ｃ，Ｃでベルト材を被覆シート１４に縫い付けることにより形成される。また、ハンドベルト１６，１６とハンドベルト１７，１７とは、運搬時に作業員が把持しやすいように、略平行になるように固定されている。
【００１８】
また、ハンドベルト１６，１６と起上げハンドベルト１８，１８とは１本のベルト材から形成されている。すなわち、図３（ｂ）に示すように、１本のベルト材はその中央部に近い両側でループ状にハンドベルト１６，１６を形成し、さらにベルト材の両端をそれぞれループ状に折り曲げて起上げハンドベルト１８，１８を形成し、ハンドベルト１６，１６間の縫い付け領域Ｂおよびその外側部の縫い付け領域Ｄ，Ｄでベルト材が被覆シート１４に縫い付けられている。起上げハンドベルト１８，１８は、被覆シート１４，１５で薄型物品を梱包した際に、その周縁部から少なくともその先端部が突出するような長さで形成されている。また、起上げハンドベルト１８には面ファスナー等の止着手段が取り付けられているのが好ましく、運搬時には、周縁部から突出した起上げハンドベルト１８，１８を被覆シート１５の外面にまわし、被覆シート１５の外面に取り付けられた取付手段１５ａに固定することにより、作業員の歩行を妨げるのを防止することができる。
【００１９】
ショルダーベルト１３、ハンドベルト１６，１７および起上げハンドベルト１８の材質としては、重量物を持ち上げ、運搬する際に加わる負荷に対して耐え得る強度を有したものであれば特に限定されず、織布、不織布などが使用できる。具体的には、例えばポリプロピレン繊維を用いたテープ（例えば（株）白井繊維工業社製のファッションテープなど）などを使用することができる。
【００２０】
また、ショルダーベルト１３、ハンドベルト１６および起上げハンドベルト１７を載置部１２および被覆シート１４，１５に固定するための固定手段や固定の位置、個数、範囲は特に限定されるものではない。なお、固定手段としてリベット等を使用した場合、頭部が載置部１２の表面に露出するため、これを隠蔽するためのシートを載置部１２の表面の必要部位に縫い付けるなどしておくのが好ましい。
【００２１】
このような運搬具１１は、例えば以下のようにして製造することができる。すなわち、まず、前記した材質のシートを所定の寸法に裁断して載置部１２、被覆シート１４，１５となるシートをそれぞれ作製する。これらの裁断されたシートには必要に応じて物品載置面および／または底面に保護シートが取付けられる。ついで、得られた載置部１２の裏面にショルダーベルト１３，１３を縫い付けて固定する。ついで、被覆シート１４，１５の内面および外面に、それぞれ面ファスナーなどの接合手段１４ａ，１４ｂ，１５ａ，１５ｂを縫い付けるなどして取付け、被覆シート１４，１５の外面にハンドベルト１６，１７および起上げハンドベルト１８を所定の位置に取り付ける。最後に、載置部１２の両側部に被覆シート１４，１５を縫い付けて固定する。
【００２２】
以下、上記した運搬具１１を使用して薄型物品の梱包方法を説明する。
図４〜６は、ミシン目２０ａと同じサイズ（すなわち被覆シート１５より小さいサイズ）の薄型物品２２を運搬具１１により梱包する手順を示す斜視図である。この運搬具１１により薄型物品２２を梱包するには、まず、床などの平面上に運搬具１１を広げ、被覆シート１４の内面にミシン目２０ａに合わせて薄型物品２２を載置する（図４(a)）。次いで、コーナーパット部１２ａを薄型物品２２の底部コーナ部に沿わせて折り曲げ、次いで被覆シート１５を薄型物品２２上に被せる（図４(b),(c)）。
【００２３】
次に、この被覆シート１５に被覆シート１４の両側部を折り曲げて接合手段１４ａと１５ａとを止着し（図５(a)）、止着部２３を被覆シート１５に被せるように折り曲げる（図５(b)）。次いで被覆シート１４の上部を折り曲げ（図６(a)）、スリット２１からハンドベルト１７，１７が突出させて接合手段１４ｂと１５ｂとを止着することにより、薄型物品２２が梱包される（図６(b)）。次いで、起上げハンドベルト１８，１８を上方に引っ張って、薄型物品２２の梱包された運搬具１１を載置部１２が底部になるように起立させ、運搬の準備が完了する（図６(c)）。起立後、起上げハンドベルト１８，１８の先端を接合手段１５ａ，１５ａに止着する。
【００２４】
一方、上記した運搬具１１を使用して、ミシン目２０ｃと同じサイズ（すなわち被覆シート１５と略同じサイズ）の薄型物品２４の梱包方法を説明する。
図７，８は、ミシン目２０ｃと同じサイズの薄型物品２４を運搬具１１により梱包する手順を示す斜視図である。この運搬具１１により薄型物品２４を梱包するには、まず、床などの平面上に運搬具１１を十字状に広げ、被覆シート１４の内面にミシン目２０ｃに合わせて薄型物品２４を載置する（図７(a)）。次いで、被覆シート１５を薄型物品２４に被せ（図７(b)）、コーナーパット部１２ａを薄型物品２４の底部コーナ部に沿わせて折り曲げる（図７(c)）。
【００２５】
次に、被覆シート１４の両側部を折り曲げて被覆シート１５に被せて接合手段１４ａと１５ａとを止着する（図８(a)，(b)）。次いで被覆シート１４の上部を折り曲げ、接合手段１４ｂと１５ｂとを止着することにより、薄型物品２４が梱包される（図８(c)）。次いで、上記梱包方法と同様に、運搬具１１を載置部１２が底部となるように起立させ、運搬の準備が完了する。
【００２６】
次に、運搬方法について説明する。２人の作業員が、上記のようにして薄型物品２２，２４を梱包した運搬具１１のショルダーベルト１３，１３付近にそれぞれ立ち、身長などに合わせてショルダーベルト１３，１３の長さを調節する。ついで、このショルダーベルト１３，１３を肩に掛け、一対の起上げハンドベルト１８，１８を手で把持して引っ張り、載置部１２が底面となるように運搬具１１を起立させる。起立後、起上げハンドベルト１８，１８の先端を接合手段１５ａ，１５ａに止着する。次いで、ハンドベルト１６，１６，１７，１７をそれぞれ手で把持し、２人の作業員がタイミングを合わせて物品を持ち上げて目的の場所まで運搬する。このとき、補助作業員がハンドベルト１６，１６，１７，１７を手で持って運搬することもできる。
【００２７】
作業員は、運搬時にショルダーベルト１３を肩にかけ、ハンドベルト１６，１７を把持することにより、安定して薄型物品を運搬することができる。このように、被覆シート１４上に薄型物品を寝かせ、この上に被覆シート１５を被せて梱包することより、梱包時に薄型物品が倒れて傷付くのを防ぐことができる。また、コーナーパット部１２ａで薄型物品の底部コーナ部を保護することにより、運搬時に傷付きやすい底部コーナ部が傷付くのを防止する。
【００２８】
なお、以上の実施形態では、接合手段として面ファスナーを例に挙げて説明したが、本発明で用いる接合手段は、被覆シート１４，１５が薄型物品を被覆することができる限りは特に限定されるものではない。したがって、接合手段としては、例えばボタン、ホック、チャックなどを用いることもできる。また、薄型物品を被覆した後、バンドや紐などで固定してもよい。また、接合手段１４ａ，１４ｂ，１５ａ，１５ｂに代えて、バンドや紐などで薄型物品を被覆した被覆シート１４，１５を束ねるようにしてもよい。
【００２９】
また、前記ショルダーベルト１３は、バックル１３ｃと穴部１３ｄとを連結するような形態に限定されず、例えばバックルおよび穴部を備えていない一体化されたショルダーベルトであってもよい。
【００３０】
また、本発明の薄型物品用運搬具で運搬する物品としては、プラズマテレビや液晶テレビ等の薄型テレビ、絵画等の美術品、ガラス板、ガラスケースなどの薄型で嵩張る物品を例示することができるが、これらに限定されるものではない。
【図面の簡単な説明】
【００３１】
【図１】本発明の一実施形態にかかる薄型物品用運搬具を示す平面図である。
【図２】図１に示す薄型物品用運搬具の底面図である。
【図３】（ａ），（ｂ）は、ハンドベルトおよび起上げハンドベルトの一例を示す側面図である。
【図４】（ａ）〜（ｃ）は、本発明の薄型物品用運搬具を使用した薄型物品の梱包方法の手順を示す斜視図である。
【図５】（ａ），（ｂ）は、図４の次の手順を示す斜視図である。
【図６】（ａ）〜（ｃ）は、図４，５の次の手順を示す斜視図である。
【図７】（ａ）〜（ｃ）は、本発明の薄型物品用運搬具を使用した薄型物品のたの梱包方法の手順を示す斜視図である。
【図８】（ａ）〜（ｃ）は、図７の次の手順を示す斜視図である。
【符号の説明】
【００３２】
１１  運搬具
１２  載置部
１２ａ  コーナーパット部
１３  ショルダーベルト
１４，１５  被覆シート
１４ａ，１４ｂ，１５ａ，１５ｂ  接合手段
１６，１７  ハンドベルト
１８  起上げハンドベルト
２０  ミシン目
２１  スリット
２２，２４  薄型物品
２３  止着部
【図１】
2005212799.tif 000003
【図２】
2005212799.tif 000004
【図３】
2005212799.tif 000005
【図４】
2005212799.tif 000006
【図５】
2005212799.tif 000007
【図６】
2005212799.tif 000008
【図７】
2005212799.tif 000009
【図８】
2005212799.tif 000010